(57)【要約】【課題】洗剤、シャンプーなどが空になったとき、詰め替え用パックで溶液を補充するが、その際、手で押さえていなくても、そのまま立てておけるようにしたい。【解決手段】空になった洗剤などの容器の入り口に、補充パックを逆さにして、パックの口を差し込んで立てられるように抑え立て具を作成する。【選択図】図２
2013139292.tif 000002
【特許請求の範囲】
【請求項１】
直径２ミリのステンレス丸棒を１１３センチ用いて、まずその先端を直径１２ミリの円形状に左回りに折り曲げる。次に、この円の先を１センチ伸ばし、さらに左回りに折り曲げて、長径１５センチ，短径６センチほどの変形楕円形を作る。次に、この変形楕円形の先をさらに斜め上に１０センチ直線に折り曲げる。次に、この直線の先を直径４センチほどの円形状に左回りに折り曲げる。次に、この円形の先をさらに上に１１センチほど直線に折り曲げる。次に、この直線の先を長径１５センチ短径６センチほどの変形楕円形状に左回りに折り曲げる。次に、この変形楕円形の先を１センチ伸ばし、さらに直径１２ミリの円形状に左回りに折り曲げる。ここで終点であるが、最初の変形楕円形状枠で洗剤容器の胴体をぐるりと囲んではめ込み、次に、その先の円形枠を洗剤容器の入り口の突起にはめ込み、さらに、その先の変形楕円形枠に逆さまにした詰め替えパックの胴体をはめ込み出口を洗剤容器の入り口に差し込んで立てることができるようにした洗剤など詰め替えパック抑え立て具。
【請求項２】
本考案を大量生産しやすくするため、あるいは本考案の洗剤など詰め替えパック抑え立て具を使用しないとき、かさばるのを防ぐため、次のようにする。まず、１１３センチの直径２ミリのステンレス丸棒の先端を型上のストッパーに固定し、直径１２ミリの円形の型に沿って右回りに曲げる。続いて、その先を１センチ延長し長径１５センチ短径６センチの変形楕円形の型に沿って、右回りに曲げる。続いて、その先を１０センチの湾曲、直線の型に沿って伸ばす。続いて、その直線の先を直径４センチの円形の型に沿って曲げる。続いて、その先を１１センチの湾曲、直線の型に沿って伸ばす。続いて、その直線の先を長径１５センチ短径６センチの変形楕円形の型に沿って曲げる。続いて、その先を１センチほど延長し直径１２ミリの円形型に沿って曲げる。ここで終点にする。以上はすべて同一平面上で手や機械などを用いて行う。この平面物体を使用するとき、金属の変形自在能力を利用して、立体化し、請求項１の構造物と同様の形態に折り曲げる。以上のよう構成される平面状の洗剤など詰め替えパック抑え立て具。
【発明の詳細な説明】
【技術分野】
【０００１】  洗剤など詰め替え用パックを手を放した状態で抑え立てることが出来る。
【発明の概要】
【０００２】  プッシュ押し出し型の洗剤などを全部使用したあと、詰め替え用のパックを開けて補充するが、結構時間がかかり、気短の者には面倒である。そこで手で押さえてなくても補充できるようにした。
【発明が解決しようとする課題】
【０００３】詰め替え用パックの出口を補充される容器の口に突っ込んで手を放したい。
【課題を解決するための手段】
【０００４】直径２ミリほどのステンレス金属棒を１０８センチほど用いて、まず先端を指に刺さらないように直径１２ミリほどの円形状に曲げる。次に、そこから先を長径１５センチ短径６センチほどの変形楕円形に曲げる。この変形楕円形枠を補充される容器の胴体の中ほどに、はめこむことが出来るようにする。次にその先を斜め上に１０センチ直線に伸ばして、その先を直径４センチほどの円形に曲げる。この円形枠は補充される容器の先端の入り口突起にはめこめることができるようにする。つぎに、その先を斜め上に１１センチ直線に伸ばし、その先を長径１５センチ短径６センチほどの変形楕円形に曲げる。この変形楕円形枠は溶液を補充するパックの胴体にはめ込んで、ななめ状に立てて、溶液出口を補充される容器の口に差し込んで支えることが出来るようにする。そこで終点となるが、その先端を直径１２ミリほどの円形状に曲げて先端が指に刺さらないようにする。
【発明の効果】
【０００５】洗剤などの詰め替えパックを手で持って流し込むとき、手をはなしても、そのまま流し込めることが出来る。さらに、本考案は金属の変形自在能力を利用して、この抑え具を折りたたみ出来るようにしてある。さらに、洗剤などの容器の形状がいろいろあるのに対応して、抑え具のほうも形をある程度自由に変形出来るようにしてある。
【図面の簡単な説明】
【０００６】
【図１】本考案の洗剤など詰め替えパック抑え立て具の平面図である。
【図２】同斜め正面図である。
【図３】本考案の物件を大量生産する場合、あるいは不使用時にかさばらないようにするため平面化した構造の平面図である。
【図１】
2013139292.tif 000003
【図２】
2013139292.tif 000004
【図３】
2013139292.tif 000005
【手続補正書】
【提出日】平成24年1月20日(2012.1.20)
【手続補正１】
【補正対象書類名】明細書
【補正対象項目名】０００２
【補正方法】変更
【補正の内容】
【０００２】プッシュ押し出し型の洗剤やシャンプーにおいて、使い終わった後、詰め替え用パックで補充するが、全部入れ終えるまで、結構時間がかかる。そこで手を放してもいいようにした。
空の洗剤などの容器はかるくて、上に乗せる詰め替えパックは重いので、かなり丈夫な構造物で装置をつくらないと、倒れてしまう。材料をふんだんに用いれば、絶対に大丈夫な装置は出来る。しかし、それでは面白くない、そこで本発明は直径２ミリ、１００センチほどのたった１本のステンレス金属棒だけでこの装置を作ることにしたのである。概要は上下の変形楕円形状の枠で詰め替え用パックと空の容器を抑え、間に円形枠を設け空容器の口にはめ、そこに詰め替えパックの口を挿入し立てるのである。装置が簡単なので使用方法に注文がつくのである。
すなわち、詰め替えパックを空の容器の口に当てたらしばらく、手で押さえ続けて、パックの中身が半分以上無くなったら、全体のバランスを整えて手を放すのである。
そうすれば、下の容器も液体が入って重くなり、上の詰め替えパックは軽くなり、倒れない。そのまま置いとけば、最後の一滴まで下の容器に入ることが出来る。これが本発明のみそである。  なおどうしても、最初から手を放したいなら、下の空容器の幅広側の側面両面底に直角三角形型の倒れ止めを付ければいい。
【手続補正書】
【提出日】平成24年10月18日(2012.10.18)
【手続補正１】
【補正対象書類名】特許請求の範囲
【補正対象項目名】請求項１
【補正方法】変更
【補正の内容】
【請求項１】
直径２ミリのステンレス丸棒を１０９センチ用いて、まずその先端を直径１０ミリの円形状に右回りに折り曲げる。次に、この円の先を１センチ伸ばし、さらに右回りに水平に折り曲げて、長径１２センチ短径６センチほどの縦型変形楕円形枠を水平に作る。次に、この変形楕円形の上部先端をさらに手前斜め上に９センチ直線に折り曲げる。次に、この直線の先を直径３センチほどの円形状に右回り水平に折り曲げ、下の変形楕円形の中央上水平に小円形枠を作る。次に、この円形の上部先端をさらに向こう側斜め上に９センチほど直線に折り曲げる。次に、この直線の先を長径１２センチ短径６センチほどの縦型変形楕円形状に水平に右回りに折り曲げる。この枠は下の枠と並列にする。次に、この変形楕円形の上部先端を１センチ右側水平に伸ばし、直径１０ミリの円形状に右回りに折り曲げ小円形枠を作る。ここで終わりであるが、最初の変形楕円形状枠で空の洗剤容器の胴体をぐるりと囲んではめ込み、次に、中央の小円形枠を空の洗剤容器の入り口の突起にはめ込み、さらに、上にある変形楕円形枠に逆さまにした詰め替えパックの胴体をはめ込み出口を洗剤容器の入り口に差し込んで立てることができるようにした洗剤など詰め替えパック抑え立て具。
【手続補正２】
【補正対象書類名】特許請求の範囲
【補正対象項目名】請求項２
【補正方法】変更
【補正の内容】
【請求項２】
本考案を大量生産しやすくするため、あるいは本考案の洗剤など詰め替えパック抑え立て具を販売するとき、かさばるのを防ぐため、次のようにする。まず、１０９センチの直径２ミリ又は１．５ミリのステンレス丸棒の両先端を直径１０ミリの丸棒を用いた型にぐるりと巻いて外し、直径１０ミリの円形状にする。左右端の円形は対象形にする。この左端の小円形枠を２２センチ四方の平面型版の左上隅に設けた凸型ストッパーにかけて固定し、その右側に設けた長径１１．５センチで短径５．５センチの縦長変形楕円形の凸型に沿って、右回りに曲げる。続いて、この変形楕円形の右側に中央より上側に設けた直径３センチの円形の凸型に沿って１回転、２回転、右回りに曲げ、２重円形枠にする。続いて、この小円形型の右側に前の凸型と並列に設けた長径１２センチ短径４センチの縦長変形楕円形の凸型に沿って右回りに曲げる。ここで先に作った右側端の直径１０ミリの円形枠が型版の右上隅に来るのであるが、それを型版の右端上に設けた直径８ミリほどの終点用円筒凸型に被せれば終わりである。
以上はすべて同一平面上で、２２センチ四方の型版の裏側中央に設けた回転軸を手や電気などで左回りに回しながら進めるのである。終点に来たら、全体の枠を上に引き上げ、型から取り外すのである。この平面物体を使用するときは、金属の変形自在能力を利用して、立体化し、請求項１の構造物と同様の形態にする。なを中央の小円形２重枠は立体化で引き延ばすと１重枠となるが、２重枠のままにして、全体の丈を低くすることもできる。以上のよう構成される平面化した洗剤など詰め替えパック抑え立て具。